(57)【特許請求の範囲】
【請求項１】
原稿画像を読み取る画像読み取り手段と、
前記画像読み取り手段によって原稿と同じ倍率で読み取って得られた画像データを記憶する画像データ記憶手段と、
前記画像データ記憶手段に記憶させた複数の画像データのそれぞれを所定の縮小率で縮小した複数の縮小データを１ページに集約した集約画像データを作成する集約画像データ作成手段と、
前記集約画像データ作成手段によって作成された集約画像データを印刷して複写物を作成する印刷手段と、
前記印刷手段によって印刷されて作成された集約画像データの複写物を前記画像読み取り手段によって読み取って得られた読取集約画像データと前記画像データとを比較して、前記読取集約画像データの元となった元画像データが前記画像データ記憶手段に記憶されているか否かを判断する判断手段と、
前記判断手段によって前記読取集約画像データの元となった元画像データが前記画像データ記憶手段に記憶されているものと判断された場合には、当該画像データ記憶手段に記憶されている元画像データを利用して前記印刷手段による印刷を実行させるように制御する制御手段とを備えること
を特徴とする画像形成装置。
【請求項２】
前記画像データ記憶手段に記憶されている画像データと、当該画像データに関連する他のデータとの組み合わせからなる管理データを保持する管理手段を備え、
前記制御手段は、前記複写物を前記画像読み取り手段によって読み取って得られた読取集約画像データの元となった元画像データが前記画像データ記憶手段に記憶されているものと判断された場合には、前記管理手段によって保持されている管理データに基づいて、前記画像データ記憶手段に記憶されている元画像データとともに、当該元画像データに関連付けられた他のデータを前記印刷手段によって印刷させるように制御すること
を特徴とする請求項１記載の画像形成装置。
【請求項３】
前記画像データ記憶手段に記憶されている画像データに関連する他のデータは、前記画像読み取り手段によって読み取って得られた他の画像データであり、
前記制御手段は、前記画像読み取り手段によって他の画像データを読み取った際に、当該他の画像データを前記画像データ記憶手段に記憶させるとともに、前記管理データを作成し、当該管理データを前記管理手段に保持させるように制御すること
を特徴とする請求項２記載の画像形成装置。
【請求項４】
前記画像データ記憶手段に記憶されている画像データに関連する他のデータは、画像データではない他のアプリケーションデータであり、
前記制御手段は、前記複写物を前記画像読み取り手段によって読み取って得られた読取集約画像データの元となった元画像データが前記画像データ記憶手段に記憶されているものと判断された場合には、前記管理手段によって保持されている管理データに基づいて、前記画像データ記憶手段に記憶されている元画像データに関連付けられた他のアプリケーションデータ、及び当該他のアプリケーションデータを印刷データに変換して当該画像形成装置に対して返信するように指示するコマンドを当該他のアプリケーションデータを印刷データに変換するドライバプログラムを備えた外部装置に対して送信させ、さらに、前記画像データ記憶手段に記憶されている元画像データとともに、前記外部装置から受信した印刷データを前記印刷手段によって印刷させるように制御すること
を特徴とする請求項２記載の画像形成装置。
【請求項５】
前記画像データ記憶手段に記憶されている画像データに関連する他のデータは、画像データではない他のアプリケーションデータであり、当該他のアプリケーションデータを印刷データに変換するドライバプログラムを備え、
前記制御手段は、前記複写物を前記画像読み取り手段によって読み取って得られた読取集約画像データの元となった元画像データが前記画像データ記憶手段に記憶されているものと判断された場合には、前記管理手段によって保持されている管理データに基づいて、前記画像データ記憶手段に記憶されている元画像データとともに、前記ドライバプログラムにより印刷データに変換された当該画像データに関連付けられた他のアプリケーションデータを前記印刷手段によって印刷させるように制御すること
を特徴とする請求項２記載の画像形成装置。
【請求項６】
ユーザ毎に固有に付与されたユーザＩＤを保持し、入力されたユーザＩＤと、保持しているユーザＩＤとを照合し、一致するものがみつかった場合には、当該画像形成装置に対するログインを許可するユーザ管理手段を備え、
前記管理手段は、前記画像データ記憶手段に記憶されている画像データと、ユーザ毎の当該画像データに関連付けられた他のデータとの組み合わせからなる管理データを保持すること
を特徴とする請求項２記載の画像形成装置。
【請求項７】
前記判断手段によって前記読取画像データの元となった元画像データが前記画像データ記憶手段に記憶されているものと判断された場合に、当該画像データ記憶手段に記憶されている元画像データと、前記画像読み取り手段によって読み取られた前記読取画像データとを比較してその差分を抽出し、その差分の画像データを作成する差分抽出手段を備え、
前記制御手段は、前記差分抽出手段によって作成された差分の画像データを、画像データ記憶手段に記憶されている元画像データに関連付けて前記画像データ記憶手段に記憶させるとともに、当該画像データ記憶手段に記憶されている元画像データとともに前記差分の画像データを前記印刷手段によって印刷させるように制御すること
を特徴とする請求項１記載の画像形成装置。
【請求項８】
前記制御手段は、前記画像データ記憶手段に記憶されている元画像データと、前記画像読み取り手段によって読み取られた前記読取画像データとに差分があった旨をユーザに通知するように制御すること
を特徴とする請求項７記載の画像形成装置。
【発明の詳細な説明】
【技術分野】
【０００１】
本発明は、原稿画像を読み取る画像読み取り機能と、記録媒体としての記録用紙に対して画像を形成する印刷機能とを複合した画像形成装置に関する。
【背景技術】
【０００２】
従来から、複写を行うことができる複写機や、読み取った画像を電子データとして保存することができるディジタル複合機（Multi Function Peripheral；ＭＦＰ）が普及している。複写機としては、同じ大きさの複写物を再現する等倍コピーに加え、複数枚の原稿を縮小して複写することによって１枚の記録用紙に複数ページ分の画像を印刷することができる割り付けコピーといった機能を有するものがある。また、特許文献１には、データベースに印刷用画像ファイルとアプリケーションファイルとの双方を関連付けて管理し、印刷用画像ファイルが入力された場合に、アプリケーションファイルのデータを使用する方法が開示されている。
【０００３】
【特許文献１】特開２００５−８６５６４号公報
【発明の開示】
【発明が解決しようとする課題】
【０００４】
しかしながら、上述した特許文献１をはじめとする従来の技術においては、画像の再生と再利用とについては大きな効果を奏するものの、劣化したコピー原稿を再現する方法にのみ適用可能であり、複写については等倍コピーによって行っていることから、印刷する記録用紙量が多くなってしまうという問題があった。
【０００５】
また、従来の技術においては、原稿が紙媒体の形態で存在する場合には、そのページ毎に関連性がないことから、原稿を読み取って画像を保存しようとした場合に、別個のファイルとして保存することになる。そのため、従来の技術においては、あるファイルに関連する別のファイルがどれであるかを忘却しやすく、当該別のファイルを探索するのが困難であるという問題があった。
【０００６】
さらに、従来の技術においては、ステープルされた複数ページからなる原稿を全て読み取るにあたっては、ステープルの針を外してＡＤＦ（Auto Document Feeder）を用いて読み取るか、複合機に設けられているいわゆるブック読み取り機能を用いて複数ページの原稿を電子データ化しなければならなかった。そのため、従来においては、操作の誤りによって途中の原稿までを電子データ化したファイルが作成されてしまい、全ての原稿を電子データ化するためには、最初からやり直すか、または、途中からの原稿を別のファイルとして保存しなければならないという煩わしさがあった。
【０００７】
さらにまた、従来の技術においては、電子データのフォーマットが異なる場合には、例えばある文書と当該文書に添付される付属文書といったように、論理的には強い関連性があるファイルであっても、必ず別個のファイルとして存在せざるを得ないことから、同じ文書を複数回呼び出す必要が生じ、手間を要するという問題があった。
【０００８】
また、従来の技術においては、記録用紙に複写した文書に対して重要な追記をペン等を用いて記入した場合には、その文書の原本を再現した際に、先に記入された重要な追記部分が失われてしまうという不便があった。
【０００９】
本発明は、このような実情に鑑みてなされたものであり、複写の際の記録用紙の消費量を抑制することができ、また、集約画像データが印刷された複写物から集約前のそれぞれの原稿を再現したい場合であっても、画像劣化のない印刷を行うことができる画像形成装置を提供することを目的とする。
【課題を解決するための手段】
【００１０】
上述した目的を達成する本発明にかかる画像形成装置は、原稿画像を読み取る画像読み取り手段と、前記画像読み取り手段によって原稿と同じ倍率で読み取って得られた画像データを記憶する画像データ記憶手段と、前記画像データ記憶手段に記憶させた複数の画像データのそれぞれを所定の縮小率で縮小した複数の縮小データを１ページに集約した集約画像データを作成する集約画像データ作成手段と、前記集約画像データ作成手段によって作成された集約画像データを印刷して複写物を作成する印刷手段と、前記印刷手段によって印刷されて作成された集約画像データの複写物を前記画像読み取り手段によって読み取って得られた読取集約画像データと前記画像データとを比較して、前記読取集約画像データの元となった元画像データが前記画像データ記憶手段に記憶されているか否かを判断する判断手段と、前記判断手段によって前記読取集約画像データの元となった元画像データが前記画像データ記憶手段に記憶されているものと判断された場合には、当該画像データ記憶手段に記憶されている元画像データを利用して前記印刷手段による印刷を実行させるように制御する制御手段とを備えることを特徴としている。
【００１１】
このような本発明にかかる画像形成装置においては、画像読み取り手段によって原稿と同じ倍率で読み取って得られた非処理の状態である画像データを画像データ記憶手段に記憶しておき、割り付け印刷を行う際に、集約画像データを利用して印刷を実行する。また、本発明にかかる画像形成装置においては、原稿と同じ倍率で読み取って得られた非処理の状態である画像データを画像データ記憶手段に記憶していることから、集約画像データが印刷された複写物から集約前のそれぞれの原稿を再現したい場合には、当該複写物を読み取ってそのまま拡大して再現するのではなく、非処理の状態である画像データを利用して印刷を実行する。
【発明の効果】
【００１２】
本発明においては、集約画像データを利用して印刷を実行することによって記録用紙の消費量を抑制することができ、また、集約画像データが印刷された複写物から集約前のそれぞれの原稿を再現したい場合であっても、記憶している非処理の状態である画像データを利用することにより、画像劣化のない印刷を行うことができる。したがって、本発明においては、文書管理における保管文書の記録用紙量を大幅に削減することができる上、保管文書が紙媒体としての複写物の形態であることから、当該保管文書が何の目的で作成されたのかを容易に判別することが可能となり、操作の煩雑さも解消することができる。
【発明を実施するための最良の形態】
【００１３】
以下、本発明を適用した具体的な実施の形態について図面を参照しながら詳細に説明する。
【００１４】
この実施の形態は、原稿画像を読み取る画像読み取り機能と、記録媒体としての記録用紙に対して画像を形成する印刷機能とを複合した画像形成装置である。特に、この画像形成装置は、スキャナを用いて読み取った画像データのうち、非処理の状態である等倍画像データと、等倍画像データを所定の縮小率で縮小することによって複数ページ分の縮小画像データを１ページに集約した集約画像データを作成する際の縮小画像データとをそれぞれ保存しておき、集約画像データを利用して印刷を実行することにより、記録用紙の消費量を抑制することができるものである。また、この画像形成装置は、集約画像データが印刷された記録用紙から集約前のそれぞれの原稿を再現したい場合であっても、保存した等倍画像データを利用することにより、画像劣化のない印刷を行うことができるものである。
【００１５】
まず、本発明の第１の実施の形態として示す画像形成装置について説明する。
【００１６】
画像形成装置は、図１に示すように、原稿画像を読み取る読み取り部１と、当該画像形成装置の全体を統括的に制御する制御部２と、読み取り部１によって読み取られた電子データとしての画像データを記憶するメモリ部３と、オペレータに対するユーザインターフェースとしての操作・表示部４と、制御部２から供給された画像データを出力する出力部５と、記録用紙に対する印刷を行う印刷部６と、読み取り部１によって読み取られた画像データに対して画像処理を施す画像処理部７と、画像データを解析する画像解析部８とを備える。
【００１７】
読み取り部１は、原稿に描かれている画像を読み取るスキャナであり、原稿を読み取って得られた画像を電子データとしての画像データに変換し、制御部２に供給する。
【００１８】
制御部２は、例えばＣＰＵ（Central Processing Unit）等から構成され、当該画像形成装置の全体を統括的に制御する。具体的には、制御部２は、読み取り部１によって読み取られた画像データをメモリ部３に保存させる際の制御や、画像データを出力部５に供給して印刷を行う際の制御を行う。
【００１９】
メモリ部３は、例えばハードディスクから構成され、読み取り部１によって読み取られた画像データをファイルとして記憶する。このメモリ部３に記憶されることによって保存された画像データは、制御部２の制御のもとに読み出される。
【００２０】
操作・表示部４は、オペレータが当該画像形成装置に対してコピー（複写）の指示や保存の指示を行うためのボタンや、当該画像形成装置の現在の状況等を文字や絵を用いてオペレータに示すためのディスプレイを有する。具体的には、操作・表示部４には、例えば図２に示すように、少なくとも、複数枚の原稿を所定の縮小率で縮小して複写することによって１枚の記録用紙に複数ページ分の画像を印刷する割り付けによるコピーを行うためのボタンと、割り付けによるコピーを行って作成された複写物を読み取って拡大することによって複数ページ分の画像を再現する拡大によるコピーを行うためのボタンとが設けられる。オペレータは、かかる操作・表示部４に設けられたボタンを操作することにより、当該画像形成装置に対して指示を与えたり、当該操作・表示部４に設けられたディスプレイを視認することにより、当該画像形成装置の状況を把握したりすることができる。
【００２１】
出力部５は、制御部２から供給された画像データを印刷部６に供給したり、ネットワークＮＴを介して外部装置に対して送信したりする。
【００２２】
印刷部６は、制御部２の制御のもとに、出力部５から供給された画像データを印刷データに変換し、記録用紙に対して印刷することにより、画像データを再現させるプリンタである。
【００２３】
画像処理部７は、制御部２の制御のもとに、読み取り部１によって読み取られた画像データに対して、例えば、画像の縮小、拡大、割付等の処理を施し、変換された画像データを出力する。
【００２４】
画像解析部８は、制御部２の制御のもとに、メモリ部３に記憶されている画像データと、読み取り部１によって読み取られた画像データとを解析し、これら画像データが同一原稿に基づくものであるか否かを判断する。例えば、画像解析部８は、２つの画像データ同士を重ね合わせた状態で水平方向に走査し、重複するドット（黒点）の個数を計数し、ドットが重複する割合が所定値以上である場合には、２つの画像データが同一であるものと判断する。なお、２つの画像データが同一であるか否かを判断する手法は、いかなるものであってもよく、例えば、画像データに含まれる特徴点を複数抽出し、それら特徴点が所定個数以上一致する場合に同一であるものと判断するようなものであってもよい。
【００２５】
このような各部から構成される画像形成装置は、出力部５を介して、ＬＡＮ（Local Area Network）やＷＡＮ（Wide Area Network）等を含むネットワークＮＴに接続され、このネットワークＮＴに接続されているパーソナルコンピュータ（ＰＣ）１０と通信を行うことが可能に構成される。なお、図１においては、画像形成装置に対して、１台のパーソナルコンピュータ１０が接続されている様子を示しているが、画像形成装置においては、ネットワークＮＴを介して接続されるパーソナルコンピュータ１０の台数に限定されるものではない。
【００２６】
このような画像形成装置においては、例えば図３(ａ)に示すように、Ａ，Ｂ，Ｃ，Ｄからなる４ページの原稿を、面積比で４分の１にそれぞれ縮小し、同図(ｂ)に示すように、縮小した４ページ分の画像を１ページに集約した複写物ＣＰを作成する場合には、例えば図４に示すような一連の手順にしたがって処理を行う。
【００２７】
まず、画像形成装置においては、同図に示すように、ステップＳ１０１において、オペレータが操作・表示部４を介して、割り付けによるコピーを指定する旨の操作を行うのに応じて、ステップＳ１０２において、操作・表示部４から制御部２に対して、割り付けによるコピーを開始する旨の指示を出力する。これに応じて、制御部２は、読み取り部１に対して、原稿を読み取る旨の指示を出力する。
【００２８】
続いて、読み取り部１は、ステップＳ１０３において、原稿と同じ倍率で読み取り動作を行い、読み取った画像を電子データとしての画像データに変換し、変換して得られた等倍画像データを制御部２に供給する。なお、図３(ａ)に示したＡ，Ｂ，Ｃ，Ｄからなる４ページの原稿のそれぞれに対応する等倍画像データを、それぞれ、等倍画像データＡ，Ｂ，Ｃ，Ｄと称するものとする。これに応じて、制御部２は、これら等倍画像データＡ，Ｂ，Ｃ，Ｄをメモリ部３に記憶させる。
【００２９】
さらに、制御部２は、ステップＳ１０４において、画像処理部７を制御して、操作・表示部４から指示された割り付けによるコピーの設定を用いて、画像の縮小と各ページの割付とを行い、割り付けられた１ページ分の集約画像データを作成する。また、制御部２は、ステップＳ１０５において、縮小した縮小画像データのうち第１ページ目、すなわち、等倍画像データＡ，Ｂ，Ｃ，Ｄのうちの等倍画像データＡの縮小画像データを、メモリ部３に記憶させるとともに、ステップＳ１０６において、集約画像データを出力部５に供給する。
【００３０】
そして、印刷部６は、ステップＳ１０７において、出力部５から供給された集約画像データを印刷データに変換して記録用紙に対して印刷し、一連の処理を終了する。
【００３１】
画像形成装置においては、このような一連の手順にしたがって、図３(ａ)に示した４ページの原稿Ａ，Ｂ，Ｃ，Ｄを、同図(ｂ)に示すように、１ページに集約して複写した複写物ＣＰを作成することができる。
【００３２】
また、画像形成装置においては、図４に示す手順にしたがって作成した複写物ＣＰを読み取って面積比で４倍に拡大し、４ページ分の画像を再現する場合には、例えば図５に示すような一連の手順にしたがって処理を行う。
【００３３】
まず、画像形成装置においては、同図に示すように、ステップＳ２０１において、オペレータが操作・表示部４を介して、拡大によるコピーを指定する旨の操作を行うのに応じて、ステップＳ２０２において、操作・表示部４から制御部２に対して、拡大によるコピーを開始する旨の指示を出力する。これに応じて、制御部２は、読み取り部１に対して、原稿としての複写物ＣＰを読み取る旨の指示を出力する。
【００３４】
続いて、読み取り部１は、ステップＳ２０３において、原稿と同じ倍率で読み取り動作を行い、読み取った画像を電子データとしての画像データに変換し、変換して得られた読取集約画像データを制御部２に供給する。これに応じて、制御部２は、ステップＳ２０４において、画像解析部８を制御して、読み取った複写物ＣＰの読取集約画像データの元となった画像データがメモリ部３に記憶されているか否かを判断する。具体的には、画像解析部８は、例えば図６に示すように、読み取った複写物ＣＰの読取集約画像データＳＣのうち左上の領域に位置する部分、すなわち、第１ページ目に相当する部分と、図４中ステップＳ１０５にてメモリ部３に記憶された第１ページ目の縮小画像データＡ'とを比較することにより、当該複写物ＣＰの読取集約画像データＳＣの元となった画像データがメモリ部３に記憶されているか否かを判断する。
【００３５】
ここで、制御部２は、ステップＳ２０５において、画像解析部８による解析の結果、複写物ＣＰの読取集約画像データＳＣの元となった画像データがメモリ部３に記憶されているものと判断した場合には、ステップＳ２０６において、メモリ部３に記憶されている画像データのうち対応する画像データ、すなわち、等倍画像データＡ，Ｂ，Ｃ，Ｄを読み出し、ステップＳ２０８において、メモリ部３から読み出した等倍画像データＡ，Ｂ，Ｃ，Ｄを出力部５に供給して展開させる。一方、制御部２は、ステップＳ２０５において、画像解析部８による解析の結果、複写物ＣＰの読取集約画像データＳＣの元となった画像データがメモリ部３に記憶されていないものと判断した場合には、ステップＳ２０７において、画像処理部７を制御して、読取集約画像データＳＣの拡大処理を行い、ステップＳ２０８において、拡大した画像データを出力部５に供給して展開させる。
【００３６】
そして、印刷部６は、ステップＳ２０９において、出力部５から供給された画像データを印刷データに変換して記録用紙に対して印刷し、一連の処理を終了する。
【００３７】
画像形成装置においては、このような一連の手順にしたがって、複写物ＣＰを読み取って拡大した４ページ分の画像を再現することができる。
【００３８】
以上説明したように、本発明の第１の実施の形態として示す画像形成装置においては、読み取り部１を用いて読み取った画像データのうち、非処理の状態である等倍画像データと、等倍画像データを縮小することによって複数ページ分の縮小画像データを１ページに集約した集約画像データ作成する際の縮小画像データとをそれぞれメモリ部３に保存しておき、割り付け印刷を行う際に集約画像データを利用して印刷を実行することにより、記録用紙の消費量を抑制することができる。
【００３９】
また、この画像形成装置においては、割り付け印刷の際に読み取った等倍画像データをメモリ部３に保存していることから、集約画像データが印刷された記録用紙から集約前のそれぞれの原稿を再現したい場合であっても、当該記録用紙を読み取ってそのまま拡大して再現しようとすることに起因する画像の劣化を生じることなく、等倍画像データを利用して高品質の印刷を行うことができる。
【００４０】
すなわち、この画像形成装置においては、例えばＡ４サイズの原稿を読み取った場合に、そのまま印刷してＡ４サイズの画像として保存するのではなく、集約画像データを印刷して作成したＡ４サイズの複写物ＣＰとして保存することにより、記録用紙の枚数を少なくした状態で保存しておき、元の大きさのデータが必要になった場合には、複写物ＣＰを読み取ることによって劣化のない画像を再現することができるため、文書管理における保管文書の記録用紙量を削減することができる。また、この画像形成装置においては、保管文書が紙媒体の形態であることから、当該保管文書が何の目的で作成されたのかを容易に判別することが可能となる。そのため、この画像形成装置においては、保存されている電子データとしての画像データのファイル名に基づいて内容を推測したり、パーソナルコンピュータ１０の表示画面に画像データを表示させて確認してから再生したりする等の操作の煩雑さも解消することができる。
【００４１】
つぎに、第２の実施の形態として示す画像形成装置について説明する。
【００４２】
この第２の実施の形態として示す画像形成装置は、第１の実施の形態として示した画像形成装置を改良し、保存されている画像データと他の画像データとの関連付けを行うものである。したがって、この第２の実施の形態の説明においては、第１の実施の形態の説明と同様の構成については同一符号を付し、その詳細な説明を省略するものとする。
【００４３】
この第２の実施の形態として示す画像形成装置は、図７に示すように、上述した読み取り部１、制御部２、メモリ部３、操作・表示部４、出力部５、印刷部６、画像処理部７、及び画像解析部８の他に、関連付けられたファイルの管理を行うファイル管理部２１を備える。
【００４４】
ファイル管理部２１は、メモリ部３に保存されている画像データと他の画像データとの関連付けを行う際に作成された管理データを保持することにより、関連付けられたファイル形式の画像データに関する情報を管理する。
【００４５】
このような画像形成装置においては、先に図３(ａ)に示したように、Ａ，Ｂ，Ｃ，Ｄからなる４ページの原稿を、面積比で４分の１にそれぞれ縮小し、同図(ｂ)に示したように、縮小した４ページ分の画像を１ページに集約した複写物ＣＰを作成する場合には、例えば図８に示すような一連の手順にしたがって処理を行う。
【００４６】
まず、画像形成装置においては、同図に示すように、先に図４に示したステップＳ１０１乃至ステップＳ１０７と同様の処理を行い、図３に示した４ページの原稿Ａ，Ｂ，Ｃ，Ｄを、１ページに集約して複写した複写物ＣＰを作成する。画像形成装置においては、このような複写を行うと、さらに続けて、複写物ＣＰに関連する他の原稿について画像データの関連付けを行った複写を行う。
【００４７】
すなわち、画像形成装置においては、ステップＳ３０１において、オペレータが操作・表示部４を介して、割り付けによるコピーを指定する旨の操作を行うとともに、ステップＳ３０２において、関連付けによるコピーを指定する旨の操作を行うのに応じて、ステップＳ３０３において、操作・表示部４から制御部２に対して、割り付けによるコピー及び関連付けによるコピーを開始する旨の指示を出力する。これに応じて、制御部２は、読み取り部１に対して、原稿を読み取る旨の指示を出力する。
【００４８】
続いて、読み取り部１は、ステップＳ３０４において、原稿と同じ倍率で読み取り動作を行い、読み取った画像を電子データとしての画像データに変換し、変換して得られた等倍画像データを制御部２に供給する。これに応じて、制御部２は、これら等倍画像データをメモリ部３に記憶させる。
【００４９】
ここで、制御部２は、ステップＳ３０５において、直前の複写動作、すなわち、ステップＳ１０１乃至ステップＳ１０７の処理によってメモリ部３に保存された画像データＡ，Ｂ，Ｃ，Ｄと、ステップＳ３０４にてメモリ部３に保存された画像データとの関連付けを行う。具体的には、制御部２は、例えば図９に示すように、画像データのファイル名とこの画像データに関連する他の画像データのファイル名との組み合わせを管理データとして作成し、ファイル管理部２１に保持させる。
【００５０】
さらに、制御部２は、ステップＳ３０６において、画像処理部７を制御して、操作・表示部４から指示された割り付けによるコピーの設定を用いて、画像の縮小と各ページの割付とを行い、割り付けられた１ページ分の集約画像データを作成し、ステップＳ３０７において、集約画像データを出力部５に供給する。
【００５１】
そして、印刷部６は、ステップＳ３０７において、出力部５から供給された集約画像データを印刷データに変換して記録用紙に対して印刷し、一連の処理を終了する。
【００５２】
画像形成装置においては、このような一連の手順にしたがって、複写する際に、先に複写した画像データとの関連付けを行うことができる。
【００５３】
また、画像形成装置においては、図８に示す手順にしたがって作成した複写物ＣＰを読み取って面積比で４倍に拡大し、４ページ分の画像を再現する場合には、例えば図１０に示すような一連の手順にしたがって処理を行う。
【００５４】
まず、画像形成装置においては、同図に示すように、先に図５に示したステップＳ２０１乃至ステップＳ２０４と同様の処理を行い、制御部２によって画像解析部８を制御して、読み取った複写物ＣＰの読取集約画像データＳＣの元となった画像データがメモリ部３に記憶されているか否かを判断する。
【００５５】
ここで、制御部２は、ステップＳ２０５において、画像解析部８による解析の結果、複写物ＣＰの読取集約画像データＳＣの元となった画像データがメモリ部３に記憶されていないものと判断した場合には、ステップＳ２０７において、画像処理部７を制御して、読取集約画像データＳＣの拡大処理を行い、ステップＳ２０８及びステップＳ２０９において、拡大した画像データを印刷データに変換して記録用紙に対して印刷させ、一連の処理を終了する。
【００５６】
一方、制御部２は、画像解析部８による解析の結果、複写物ＣＰの読取集約画像データＳＣの元となった画像データがメモリ部３に記憶されているものと判断した場合には、ステップＳ２０６において、メモリ部３に記憶されている画像データのうち対応する画像データ、すなわち、等倍画像データＡ，Ｂ，Ｃ，Ｄを読み出す。続いて、制御部２は、ステップＳ４０１において、ファイル管理部２１から管理データを読み出し、ステップＳ４０２において、等倍画像データＡ，Ｂ，Ｃ，Ｄに関連付けられた他の画像データがあるか否かを判断する。
【００５７】
ここで、制御部２は、等倍画像データＡ，Ｂ，Ｃ，Ｄに関連付けられた他の画像データがないものと判断した場合には、ステップＳ２０８及びステップＳ２０９へと処理を移行し、等倍画像データＡ，Ｂ，Ｃ，Ｄを印刷データに変換して記録用紙に対して印刷させ、一連の処理を終了する。
【００５８】
一方、制御部２は、等倍画像データＡ，Ｂ，Ｃ，Ｄに関連付けられた他の画像データがあるものと判断した場合には、ステップＳ４０３において、その関連付けられた画像データをメモリ部３から読み出す。そして、制御部２は、ステップＳ２０８において、メモリ部３から読み出した等倍画像データＡ，Ｂ，Ｃ，Ｄと、これら等倍画像データＡ，Ｂ，Ｃ，Ｄに関連付けられた画像データとを出力部５に供給して展開させ、ステップＳ２０９において、出力部５から供給された画像データを印刷データに変換して記録用紙に対して印刷し、一連の処理を終了する。
【００５９】
画像形成装置においては、このような一連の手順にしたがって、複写物ＣＰとして印刷された画像データに関連付けられた他の画像データがある場合であっても、それら他の画像データも含めて拡大した画像を再現することができる。
【００６０】
以上説明したように、本発明の第２の実施の形態として示す画像形成装置においては、読み取り部１を用いて読み取った画像データに関連付けて他の画像データも保存することから、複写物ＣＰの少なくとも第１ページ目を読み取りさえすれば、それに関連する全ての画像を再現することができる。これにより、この画像形成装置においては、再現したい文書を逐一選択する等の煩雑な操作を強いることがなくなるとともに、文書管理における保管文書の記録用紙量をさらに削減することができる。
【００６１】
つぎに、第３の実施の形態として示す画像形成装置について説明する。
【００６２】
この第３の実施の形態として示す画像形成装置は、第２の実施の形態として示した画像形成装置を改良し、保存されている画像データと、画像データではない他のアプリケーションデータとの関連付けを行うものである。したがって、この第３の実施の形態の説明においては、第２の実施の形態の説明と同様の構成については同一符号を付し、その詳細な説明を省略するものとする。
【００６３】
この第３の実施の形態として示す画像形成装置は、図１１に示すように、上述した読み取り部１、制御部２、メモリ部３、操作・表示部４、印刷部６、画像処理部７、画像解析部８、及びファイル管理部２１の他に、データの入出力を行う入出力部３１を備える。すなわち、この画像形成装置は、上述した出力部５に代えて入出力部３１を備える。
【００６４】
入出力部３１は、制御部２の制御のもとに、ネットワークＮＴを介して、パーソナルコンピュータ１０に対してコマンドを送信する。具体的には、入出力部３１は、パーソナルコンピュータ１０にインストールされているアプリケーションプログラムとプリンタドライバとを用いて、当該アプリケーションプログラムによって作成されたアプリケーションデータを印刷データに変換し、当該入出力部３１に対して送信するように指示するアプリケーションデータ印刷命令を、コマンドとして送信する。入出力部３１は、このアプリケーションデータ印刷命令コマンドをパーソナルコンピュータ１０に対して送信するのに応じて、当該パーソナルコンピュータ１０から送信された印刷データを受信する。また、入出力部３１は、出力部５と同様に、制御部２から供給された画像データを印刷部６に供給したり、ネットワークＮＴを介して外部装置に対して送信したりすることもできる。
【００６５】
なお、パーソナルコンピュータ１０には、例えば文書作成ソフトウェアや表計算ソフトウェア等のアプリケーションプログラムがインストールされているとともに、アプリケーションデータを当該画像形成装置によって印刷可能な印刷データに変換するプリンタドライバがインストールされている。そして、パーソナルコンピュータ１０は、入出力部３１を介して送信されたコマンドを受信する機能を有する。
【００６６】
このような画像形成装置においては、先に図３(ａ)に示したように、Ａ，Ｂ，Ｃ，Ｄからなる４ページの原稿を、面積比で４分の１にそれぞれ縮小し、同図(ｂ)に示したように、縮小した４ページ分の画像を１ページに集約した複写物ＣＰを作成する場合には、例えば図１２に示すような一連の手順にしたがって処理を行う。
【００６７】
まず、画像形成装置においては、同図に示すように、先に図４に示したステップＳ１０１乃至ステップＳ１０７と同様の処理を行い、図３に示した４ページの原稿Ａ，Ｂ，Ｃ，Ｄを、１ページに集約して複写した複写物ＣＰを作成する。画像形成装置においては、このような複写を行うと、さらに続けて、複写物ＣＰに関連するアプリケーションデータの関連付けを行う。
【００６８】
すなわち、画像形成装置においては、ステップＳ５０１において、オペレータが操作・表示部４を介して、予めメモリ部３に保存されているアプリケーションデータのファイルのうち関連付けたいファイルを指定する旨の操作を行うとともに、ステップＳ５０２において、関連付けを指定する旨の操作を行うのに応じて、ステップＳ５０３において、操作・表示部４から制御部２に対して、指定されたファイルを関連付ける旨の指示を出力する。
【００６９】
これに応じて、制御部２は、直前の複写動作、すなわち、ステップＳ１０１乃至ステップＳ１０７の処理によってメモリ部３に保存された画像データＡ，Ｂ，Ｃ，Ｄと、ステップＳ５０１にて指定されたファイルとの関連付けを行う。具体的には、制御部２は、先に図９に示したように、画像データのファイル名とこの画像データに関連するアプリケーションデータのファイル名との組み合わせを管理データとして作成し、ファイル管理部２１に保持させる。
【００７０】
画像形成装置においては、このような一連の手順にしたがって、先に複写した画像データとアプリケーションデータとの関連付けを行うことができる。
【００７１】
また、画像形成装置においては、図１２に示す手順にしたがって作成した複写物ＣＰを読み取って面積比で４倍に拡大し、４ページ分の画像を再現する場合には、例えば図１３に示すような一連の手順にしたがって処理を行う。
【００７２】
まず、画像形成装置においては、同図に示すように、先に図１０に示したステップＳ２０１乃至ステップＳ２０４と同様の処理を行い、制御部２によって画像解析部８を制御して、読み取った複写物ＣＰの読取集約画像データＳＣの元となった画像データがメモリ部３に記憶されているか否かを判断する。
【００７３】
ここで、制御部２は、ステップＳ２０５において、画像解析部８による解析の結果、複写物ＣＰの読取集約画像データＳＣの元となった画像データがメモリ部３に記憶されていないものと判断した場合には、ステップＳ２０７において、画像処理部７を制御して、読取集約画像データＳＣの拡大処理を行い、ステップＳ２０８及びステップＳ２０９において、拡大した画像データを印刷データに変換して記録用紙に対して印刷させ、一連の処理を終了する。
【００７４】
一方、制御部２は、画像解析部８による解析の結果、複写物ＣＰの読取集約画像データＳＣの元となった画像データがメモリ部３に記憶されているものと判断した場合には、ステップＳ２０６において、メモリ部３に記憶されている画像データのうち対応する画像データ、すなわち、等倍画像データＡ，Ｂ，Ｃ，Ｄを読み出す。続いて、制御部２は、ステップＳ４０１において、ファイル管理部２１から管理データを読み出し、ステップＳ４０２において、等倍画像データＡ，Ｂ，Ｃ，Ｄに関連付けられた他のアプリケーションデータがあるか否かを判断する。
【００７５】
ここで、制御部２は、等倍画像データＡ，Ｂ，Ｃ，Ｄに関連付けられた他のアプリケーションデータがないものと判断した場合には、ステップＳ２０８及びステップＳ２０９へと処理を移行し、等倍画像データＡ，Ｂ，Ｃ，Ｄを印刷データに変換して記録用紙に対して印刷させ、一連の処理を終了する。
【００７６】
一方、制御部２は、等倍画像データＡ，Ｂ，Ｃ，Ｄに関連付けられた他のアプリケーションデータがあるものと判断した場合には、ステップＳ６０１において、入出力部３１を介して、パーソナルコンピュータ１０に対してアプリケーションデータ印刷命令コマンドを送信するとともに、ステップＳ６０２において、その関連付けられたアプリケーションデータをメモリ部３から読み出し、入出力部３１を介して、パーソナルコンピュータ１０に対して送信する。
【００７７】
これに応じて、パーソナルコンピュータ１０は、ステップＳ６０３において、受信したアプリケーションデータを、アプリケーションプログラム及びプリンタドライバを用いて印刷データに変換し、その印刷データを当該画像形成装置に対して送信する。
【００７８】
そして、制御部２は、ステップＳ２０８において、メモリ部３から読み出した等倍画像データＡ，Ｂ，Ｃ，Ｄを入出力部３１に供給して展開させるとともに、パーソナルコンピュータ１０から入出力部３１を介して受信した、これら等倍画像データＡ，Ｂ，Ｃ，Ｄに関連付けられたアプリケーションデータに基づく印刷データを入出力部３１に展開させ、ステップＳ２０９において、入出力部３１から供給された画像データを印刷データに変換して記録用紙に対して印刷するとともに、パーソナルコンピュータ１０から送信された印刷データも記録用紙に対して印刷し、一連の処理を終了する。
【００７９】
画像形成装置においては、このような一連の手順にしたがって、複写物ＣＰとして印刷された画像データに関連付けられた他のアプリケーションデータがある場合であっても、それら他のアプリケーションデータも含めて再現することができる。
【００８０】
以上説明したように、本発明の第３の実施の形態として示す画像形成装置においては、読み取り部１を用いて読み取った画像データに関連付けて他のアプリケーションデータも保存することから、複写物ＣＰの少なくとも第１ページ目を読み取りさえすれば、それに関連する全ての文書を再現することができる。これにより、この画像形成装置においては、再現したい文書を逐一選択する等の煩雑な操作を強いることがなくなるとともに、文書管理における保管文書の記録用紙量をさらに削減することができる。
【００８１】
なお、この第３の実施の形態においては、パーソナルコンピュータ１０によってアプリケーションデータを印刷データに変換するものとして説明したが、画像形成装置においては、アプリケーションデータを印刷するためのアプリケーションプログラムやプリンタドライバをインストールしておき、当該画像形成装置内部で印刷データに変換するようにしてもよい。
【００８２】
つぎに、第４の実施の形態として示す画像形成装置について説明する。
【００８３】
この第４の実施の形態として示す画像形成装置は、第３の実施の形態として示した画像形成装置を改良し、ユーザ毎に関連付けるファイルを異なるものとすることができるものである。したがって、この第４の実施の形態の説明においては、第３の実施の形態の説明と同様の構成については同一符号を付し、その詳細な説明を省略するものとする。
【００８４】
この第４の実施の形態として示す画像形成装置は、図１４に示すように、上述した読み取り部１、制御部２、メモリ部３、操作・表示部４、印刷部６、画像処理部７、画像解析部８、ファイル管理部２１、及び入出力部３１の他に、ユーザを管理するユーザ管理部４１を備える。
【００８５】
ユーザ管理部４１は、オペレータが操作・表示部４を介して、オペレータ毎に固有に付与された例えば"０００１"といった４桁のコード等からなるユーザＩＤを入力するのに応じて、そのユーザＩＤを保持することにより、当該オペレータを管理する。
【００８６】
このような画像形成装置においては、制御部２の制御のもとに、例えば図１５に示すように、読み取り部１によって読み取られてメモリ部３に保存された画像データのファイル名と、ユーザ毎の当該画像データに関連付けられた他の画像データのファイル名との組み合わせを管理データとして作成し、ファイル管理部２１に保持させておく。そして、画像形成装置においては、オペレータの指定による複写動作を行う場合には、例えば図１６に示すような一連の手順にしたがって処理を行う。
【００８７】
まず、画像形成装置においては、同図に示すように、ステップＳ７０１において、オペレータが操作・表示部４を介して、自己のユーザＩＤを入力するのに応じて、操作・表示部４からユーザ管理部４１に対して、当該ユーザＩＤが入力される。これに応じて、ユーザ管理部４１は、ステップＳ７０２において、入力されたユーザＩＤと、保持しているユーザＩＤとを照合し、一致するものがみつかった場合には、当該画像形成装置に対するログインを許可する。
【００８８】
そして、読み取り部１は、ステップＳ７０３において、原稿と同じ倍率で読み取り動作を行い、読み取った画像を電子データとしての画像データに変換し、変換して得られた等倍画像データを制御部２に供給する。これに応じて、制御部２は、これら等倍画像データをメモリ部３に記憶させる。
【００８９】
続いて、画像形成装置においては、ステップＳ７０４において、先に図１０に示した一連の処理と同様の処理を行い、拡大による複写動作を行う。このとき、制御部２は、ステップＳ７０５において、ファイル管理部２１から管理データを読み出し、オペレータたるユーザＡに関連付けられた画像データがメモリ部３に記憶されているか否かを判断する。
【００９０】
ここで、制御部２は、ユーザＡに関連付けられた画像データがメモリ部３に記憶されていないものと判断した場合には、先に図１０に示した拡大による複写動作によって得られる画像データを印刷データに変換して記録用紙に対して印刷させ、一連の処理を終了する。
【００９１】
一方、制御部２は、ユーザＡに関連付けられた画像データがメモリ部３に記憶されていないものと判断した場合には、ステップＳ７０６において、メモリ部３に記憶されている画像データのうち対応する画像データ、すなわち、等倍画像データＡ，Ｂ，Ｃ，Ｄを読み出すとともに、ユーザＡに関連付けられた画像データを読み出し、これら画像データを印刷データに変換して記録用紙に対して印刷させ、一連の処理を終了する。
【００９２】
画像形成装置においては、このような一連の手順にしたがって、オペレータの指定による複写動作を行うことができる。
【００９３】
以上説明したように、本発明の第４の実施の形態として示す画像形成装置においては、ログインするユーザ毎に異なるファイルを関連付けることができるため、例えば、あるユーザには秘密裏にしておきたい文書を印刷するか否かを選択的に設定することができる。そのため、この画像形成装置においては、文書の機密性を有効に維持することができる。
【００９４】
最後に、第５の実施の形態として示す画像形成装置について説明する。
【００９５】
この第５の実施の形態として示す画像形成装置は、第１の実施の形態として示した画像形成装置を改良し、２つの画像データを比較する際に差分を抽出し、その差分の画像データを作成するものである。したがって、この第５の実施の形態の説明においては、第１の実施の形態の説明と同様の構成については同一符号を付し、その詳細な説明を省略するものとする。
【００９６】
この第５の実施の形態として示す画像形成装置は、図１７に示すように、上述した読み取り部１、制御部２、メモリ部３、操作・表示部４、出力部５、印刷部６、及び画像処理部７の他に、画像データの画像及び差分抽出を行う画像解析／差分抽出部５１を備える。すなわち、この画像形成装置は、上述した画像解析部８に代えて画像解析／差分抽出部５１を備える。
【００９７】
画像解析／差分抽出部５１は、画像解析部８と同様に、メモリ部３に記憶されている画像データと、読み取り部１によって読み取られた画像データとを解析し、これら画像データが同一原稿に基づくものであるか否かを判断する。また、画像解析／差分抽出部５１は、制御部２の制御のもとに、メモリ部３に記憶されている画像データと、読み取り部１によって読み取られた画像データとの差分を抽出し、その差分の画像データを作成する。
【００９８】
このような画像形成装置においては、最初の複写動作の場合には、例えば図１８(ａ)に示すように、ステップＳ８０１において、オペレータが操作・表示部４を介して、コピーを指定する旨の操作を行うのに応じて、操作・表示部４から制御部２に対して、等倍でのコピーを開始する旨の指示を出力する。これに応じて、制御部２は、読み取り部１に対して、原稿と同じ倍率で読み取る旨の指示を出力する。
【００９９】
そして、画像形成装置においては、ステップＳ８０２において、読み取り部１によって原稿と同じ倍率で読み取り動作を行って複写操作を行い、複写物ＣＰを作成するとともに、読み取った画像を電子データとしての画像データに変換し、変換して得られた等倍画像データを制御部２に供給する。これに応じて、制御部２は、これら等倍画像データをメモリ部３に記憶させる。
【０１００】
画像形成装置においては、このような一連の手順にしたがって作成された複写物ＣＰに対して、ペン等を用いた重要な書き込みがあり、その書き込み内容を、メモリ部３に記憶されている画像データにも適用することにより、当該画像データのアップデートを行うことができる。
【０１０１】
この場合、画像形成装置においては、例えば図１８(ｂ)に示すように、ステップＳ８０３において、オペレータが操作・表示部４を介して、コピーを指定する旨の操作を行うのに応じて、操作・表示部４から制御部２に対して、等倍でのコピーを開始する旨の指示を出力する。これに応じて、制御部２は、読み取り部１に対して、原稿と同じ倍率で読み取る旨の指示を出力する。
【０１０２】
続いて、読み取り部１は、ステップＳ８０４において、原稿と同じ倍率で読み取り動作を行い、読み取った画像を電子データとしての画像データに変換し、変換して得られた読取画像データを制御部２に供給する。これに応じて、制御部２は、ステップＳ８０５において、画像解析／差分抽出部５１を制御して、読み取った複写物ＣＰの読取画像データの元となった画像データがメモリ部３に記憶されているか否かを判断する。具体的には、画像解析／差分抽出部５１は、例えば図１９に示すように、読み取った複写物ＣＰの読取画像データＳＣと、図１８(ａ)中ステップＳ８０２にてメモリ部３に記憶された等倍画像データＡとを比較することにより、当該複写物ＣＰの読取画像データＳＣの元となった画像データがメモリ部３に記憶されているか否かを判断する。
【０１０３】
ここで、制御部２は、ステップＳ８０６において、画像解析／差分抽出部５１による解析の結果、複写物ＣＰの読取画像データＳＣの元となった画像データがメモリ部３に記憶されていないものと判断した場合には、図１８(ａ)に示した通常の複写動作を行い、ステップＳ８１３において、読取画像データＳＣを出力部５に供給して展開させた上で、この読取画像データＳＣを印刷データに変換して記録用紙に対して印刷し、一連の処理を終了する。
【０１０４】
一方、制御部２は、ステップＳ８０６において、画像解析／差分抽出部５１による解析の結果、複写物ＣＰの読取画像データＳＣの元となった画像データがメモリ部３に記憶されているものと判断した場合には、ステップＳ８０７において、画像解析／差分抽出部５１を制御して、読取画像データＳＣと、メモリ部３に記憶されている画像データのうち対応する画像データ、すなわち、等倍画像データＡとの差分を抽出する。
【０１０５】
そして、制御部２は、ステップＳ８０８において、差分がない、すなわち、読取画像データＳＣと等倍画像データＡとが全く同一であるものと判断した場合には、ステップＳ８１２へと処理を移行し、メモリ部３に記憶されている等倍画像データＡを読み出し、ステップＳ８１３において、等倍画像データＡを出力部５に供給して展開させた上で、この等倍画像データＡを印刷データに変換して記録用紙に対して印刷し、一連の処理を終了する。
【０１０６】
一方、制御部２は、ステップＳ８０８において、差分がある、すなわち、読取画像データＳＣが複写物ＣＰに対する書き込みが反映された画像データであるものと判断した場合には、ステップＳ８０９において、操作・表示部４を介して、オペレータに画像の差分がある旨を通知し、メモリ部３に記憶されている等倍画像データＡに対してその差分を適用してアップデートするか否かを問い合わせる。
【０１０７】
そして、制御部２は、ステップＳ８１０において、オペレータが操作・表示部４を介してアップデートしない旨の操作を行った場合には、ステップＳ８１２へと処理を移行し、メモリ部３に記憶されている等倍画像データＡを読み出し、ステップＳ８１３において、等倍画像データＡを出力部５に供給して展開させた上で、この等倍画像データＡを印刷データに変換して記録用紙に対して印刷し、一連の処理を終了する。
【０１０８】
一方、制御部２は、ステップＳ８１０において、オペレータが操作・表示部４を介してアップデートする旨の操作を行った場合には、ステップＳ８０７にて抽出した差分を示す差分データＤＦ（図１９）を等倍画像データＡに関連付けてメモリ部３に記憶させる。そして、制御部２は、ステップＳ８１３において、等倍画像データＡと差分データＤＦとを重畳させた画像データを出力部５に供給して展開させた上で、この画像データを印刷データに変換して記録用紙に対して印刷し、一連の処理を終了する。
【０１０９】
画像形成装置においては、このような一連の手順にしたがって、複写物ＣＰに対して書き込みがあった場合であっても、その書き込み内容を、メモリ部３に記憶されている画像データにも適用してアップデートすることができる。
【０１１０】
以上説明したように、本発明の第５の実施の形態として示す画像形成装置においては、読み取り部１を用いて読み取った画像データとメモリ部３に記憶されている等倍画像データとを比較し、差分があった場合には、その差分データＤＦを原本としての等倍画像データに追加することができるため、重要な追記部分等を失うことなく、且つ、劣化がない画像を再現することができる。また、この画像形成装置においては、差分があった場合には、その旨をオペレータに通知することから、原本に何らかの追記があった旨を当該オペレータが容易に把握することが可能となる。さらに、この画像形成装置においては、その追記が悪意による原本の改竄を目的としたものであった場合にも、差分があった旨をオペレータに通知することから、改竄があった旨を当該オペレータが容易に把握することが可能となる。
【０１１１】
なお、本発明は、上述した実施の形態に限定されるものではない。例えば、上述した第１の実施の形態では、画像を再現する際に出力部５から印刷部６に画像データを供給しているが、本発明は、出力部５からネットワークＮＴを介して外部装置に対して送信するようにしてもよい。
【０１１２】
また、本発明は、メモリ部３に記憶されている原本たる画像データのフォルダ名とファイル名とを印刷等することにより、かかる情報をオペレータに知らせるようにしてもよい。
【０１１３】
さらに、上述した第１の実施の形態では、４ページの原稿を面積比で４分の１にそれぞれ縮小して複写物ＣＰを作成するものとして説明しているが、本発明は、第１ページ目のみを複写するようにしてもよい。
【０１１４】
さらにまた、上述した第２の実施の形態では、複写物ＣＰの第１ページ目に対応する画像データが読み取り部１によって読み取った画像データであるものとして説明したが、本発明は、読取画像データとの比較に使用する電子データを画像として保持するようにするのであれば、複写物ＣＰの第１ページ目に対応する電子データはアプリケーションデータであってもよい。
【０１１５】
このように、本発明は、その趣旨を逸脱しない範囲で適宜変更が可能であることはいうまでもない。
【図面の簡単な説明】
【０１１６】
【図１】本発明の第１の実施の形態として示す画像形成装置の構成を説明するブロック図である。
【図２】本発明の第１の実施の形態として示す画像形成装置における操作・表示部の具体的構成を説明する図である。
【図３】本発明の第１の実施の形態として示す画像形成装置における処理を説明するための図であり、(ａ)は、読み取るべき原稿の具体例を示し、(ｂ)は、縮小した複数の画像を１ページに集約した複写物の具体例を示す図である。
【図４】本発明の第１の実施の形態として示す画像形成装置において、図３に示す原稿を面積比で４分の１にそれぞれ縮小し、縮小した４ページ分の画像を１ページに集約した複写物を作成する際の一連の処理を説明するフローチャートである。
【図５】本発明の第１の実施の形態として示す画像形成装置において、図４に示す手順にしたがって作成した複写物を読み取って面積比で４倍に拡大し、４ページ分の画像を再現する際の一連の処理を説明するフローチャートである。
【図６】本発明の第１の実施の形態として示す画像形成装置における画像解析部の処理を説明するための図である。
【図７】本発明の第２の実施の形態として示す画像形成装置の構成を説明するブロック図である。
【図８】本発明の第２の実施の形態として示す画像形成装置において、図３に示す原稿を面積比で４分の１にそれぞれ縮小し、縮小した４ページ分の画像を１ページに集約した複写物を作成する際の一連の処理を説明するフローチャートである。
【図９】本発明の第２の実施の形態として示す画像形成装置におけるファイル管理部に保持される管理データの具体例を説明する図である。
【図１０】本発明の第２の実施の形態として示す画像形成装置において、図８に示す手順にしたがって作成した複写物を読み取って面積比で４倍に拡大し、４ページ分の画像を再現する際の一連の処理を説明するフローチャートである。
【図１１】本発明の第３の実施の形態として示す画像形成装置の構成を説明するブロック図である。
【図１２】本発明の第３の実施の形態として示す画像形成装置において、図３に示す原稿を面積比で４分の１にそれぞれ縮小し、縮小した４ページ分の画像を１ページに集約した複写物を作成する際の一連の処理を説明するフローチャートである。
【図１３】本発明の第３の実施の形態として示す画像形成装置において、図１２に示す手順にしたがって作成した複写物を読み取って面積比で４倍に拡大し、４ページ分の画像を再現する際の一連の処理を説明するフローチャートである。
【図１４】本発明の第４の実施の形態として示す画像形成装置の構成を説明するブロック図である。
【図１５】本発明の第４の実施の形態として示す画像形成装置におけるファイル管理部に保持される管理データの具体例を説明する図である。
【図１６】本発明の第４の実施の形態として示す画像形成装置において、オペレータの指定による複写動作を行う際の一連の処理を説明するフローチャートである。
【図１７】本発明の第５の実施の形態として示す画像形成装置の構成を説明するブロック図である。
【図１８（ａ）】本発明の第５の実施の形態として示す画像形成装置において、最初の複写動作を行う際の一連の処理を説明するフローチャートである。
【図１８（ｂ）】本発明の第５の実施の形態として示す画像形成装置において、画像データのアップデートを行う際の一連の処理を説明するフローチャートである。
【図１９】本発明の第５の実施の形態として示す画像形成装置における画像解析／差分抽出部の処理を説明するための図である。
【符号の説明】
【０１１７】
１  読み取り部
２  制御部
３  メモリ部
４  操作・表示部
５  出力部
６  印刷部
７  画像処理部
８  画像解析部
１０  パーソナルコンピュータ
２１  ファイル管理部
３１  入出力部
４１  ユーザ管理部
５１  画像解析／差分抽出部
Ａ，Ｂ，Ｃ，Ｄ  等倍画像データ
Ａ'  縮小画像データ
ＣＰ  複写物
ＤＦ  差分データ
ＮＴ  ネットワーク
ＳＣ  読取集約画像データ、読取画像データ
【図１】
0004563952.tif 000002
【図２】
0004563952.tif 000003
【図３】
0004563952.tif 000004
【図４】
0004563952.tif 000005
【図５】
0004563952.tif 000006
【図６】
0004563952.tif 000007
【図７】
0004563952.tif 000008
【図８】
0004563952.tif 000009
【図９】
0004563952.tif 000010
【図１０】
0004563952.tif 000011
【図１１】
0004563952.tif 000012
【図１２】
0004563952.tif 000013
【図１３】
0004563952.tif 000014
【図１４】
0004563952.tif 000015
【図１５】
0004563952.tif 000016
【図１６】
0004563952.tif 000017
【図１７】
0004563952.tif 000018
【図１８（ａ）】
0004563952.tif 000019
【図１８（ｂ）】
0004563952.tif 000020
【図１９】
0004563952.tif 000021